(57)【要約】【課題】フレアー光の影響を抑え、黒ベタ間の地肌汚れや、線切れや中間調の劣化を抑えることができ、光源をコンタクトガラスに近づけて光量アップすることにより、省電力化を図ることができるとともに、弾性遮光部材（遮光板）をコンタクトガラスと接触させても、コンタクトガラスに傷が発生するのを防止することができる画像読取装置を提供すること。【解決手段】画像読取装置において、露光ランプ５５とコンタクトガラス５１の間に弾性遮光部材５２を、その先端部を前記コンタクトガラスに接触させて第１キャリッジ５０に設け、この弾性遮光部材の主走査方向にスリット状の開口部５９を形成したことを特徴とする。【選択図】      図１
2004157174.tif 000002
【特許請求の範囲】
【請求項１】
コンタクトガラス上に載置された原稿面を照明するための露光ランプ及び照明用のミラーを有する第１キャリッジと、この第１キャリッジから前記原稿面に照明され反射された光の光路方向を変えるためのミラーを有する第２キャリッジとを備え、前記第１キャリッジ及び前記第２キャリッジを副走査方向に移動させることにより、前記原稿面の画像を、結像レンズを介しラインセンサ上に結像させ原稿画像を読取る画像読取装置において、
前記露光ランプとコンタクトガラスの間に弾性遮光部材を、その先端部を前記コンタクトガラスに接触させて第１キャリッジに設け、この弾性遮光部材の主走査方向にスリット状の開口部を形成したことを特徴とする画像読取装置。
【請求項２】
前記露光ランプは、副走査方向に１対設けられ、前記弾性遮光部材は、前記各露光ランプの上部を覆うように１対設けられ、これら弾性遮光部材の先端部間の主走査方向にスリット状の開口部が形成されている請求項１記載の画像読取装置。
【請求項３】
前記弾性遮光部材は、少なくとも露光ランプと対向する内面が反射面となっている請求項１又は２記載の画像読取装置。
【請求項４】
前記弾性遮光部材は、材質が樹脂弾性材質となっている請求項１ないし３のいずれかに記載の画像読取装置。
【請求項５】
前記弾性遮光部材は、コンタクトガラスと接触する先端部が露光ランプ側に向けて屈曲されている請求項１ないし４のいずれかに記載の画像読取装置。
【請求項６】
前記弾性遮光部材は、遮光板である請求項１ないし５のいずれかに記載の画像読取装置。
【発明の詳細な説明】
【０００１】
【発明の属する技術分野】
この発明は、複写機、スキャナ等において原稿を照射して走査する光学系を備えた画像読取装置に関する。
【０００２】
【従来の技術】
図２は、従来の画像読取装置を、複写機を一例として示したものである。筐体１の上面にはコンタクトガラス２が設けられており、このコンタクトガラス２の上面には原稿３が配置されている。コンタクトガラス２の下方には第１キャリッジ４と第２キャリッジ５とが配置されている。第１キャリッジ４は、原稿３の面を下方から照射するための露光ランプ８と、光を集光させるための反射板１４と、第１ミラー１５を備えている。第２キャリッジ５は、第１キャリッジ４からの光路の方向を変えるための第２ミラー１６と、第３ミラー１７を備えている。これら第１キャリッジ４と第２キャリッジ５とは、摺動部材を介してガイドレール上に載せられており、副走査方向に直線移動でき、これにより第１キャリッジ４は、原稿面全面を走査する。第２キャリッジ５は、所定の光路長を保つように、第１キャリッジ４の１／２の速度で移動する。
【０００３】
そして、第１キャリッジ４と第２キャリッジ５を所定の速度で移動させることにより、原稿面に照射され反射した光は、第１ミラー１５、第２ミラー１６、第３ミラー１７により反射されてレンズ６に入射した後、ラインセンサ７上に結像する。ラインセンサ７ではライン状に配置された受光素子を走査（主走査）させ、光情報を電気信号に変換する。図２において、１０は左スケール、１１は基準白板、１２は奥スケール、１３は駆動モータ、２１はキャリッジホームポジション（ＨＰ）センサ、２２，２３はＡＰＳセンサである。
【０００４】
図３は、キャリッジの駆動方式の一例を示す。この駆動方式としては、一般に、キャリッジ片側駆動方式とキャリッジ両側駆動方式とがある。そこで、まず、前者の片側駆動方式について説明する。この方式は、キャリッジの一端をガイドロッドに嵌合させて、他端はコロか摺動部材を介してガイドレール上に載っており、ガイドロッド側片方に張設したワイヤによって往復移動する方式である。キャリッジ両側駆動方式には、ワイヤ駆動方式とタイミングベルト駆動方式とがある。
【０００５】
タイミングベルト駆動方式を用いた走査装置の一例を図３に基づいて説明する。第１キャリッジ４と第２キャリッジ５との左右両側には、副走査方向Ｙに長い形状のタイミングベルト２５と、副走査方向Ｙに短い形状のタイミングベルト２６とが配設されている。タイミングベルト２５はタイミングベルトプーリ２７，２８間で、タイミングベルト２６はタイミングベルトプーリ２９，３０間でそれぞれ巻掛けされている。タイミングベルトプーリ２７，３０はそれぞれ一体化されており、主走査方向Ｘに配設された駆動軸３２で連結されている。この駆動軸３２の一端は従動プーリ３３と連結され、この従動プーリ３３はタイミングベルト３４を介して駆動モータ１３の駆動プーリ３５と連結されている。
【０００６】
また、第１キャリッジ４の左右両側の端部はそのスリット長手方向をレンズ光軸と直角にした状態でタイミングベルト２５に固定されており、第２キャリッジ５の左右両側の端部は第１キャリッジ４に対して所定の間隔で平行に調整された状態でタイミングベルト２６に固定されている。第１キャリッジ４の端部及び第２キャリッジ５の端部は、ガイドレールに沿って副走査方向Ｙに移動できるようになっている。このような構成において、駆動モータ１３からの駆動力は駆動軸３２を介してタイミングベルトプーリ２７，３３に伝達されることにより、タイミングベルト２５，２６を回転させ、これにより第１キャリッジ４と第２キャリッジ５とを副走査方向Ｙに移動させる。
【０００７】
この場合、タイミングベルトプーリ２７，２８の径を１とすると、タイミングベルトプーリ２９，３３の径は１／２になっており、これにより第１スキャナ４と第２スキャナ５の移動速度は１対１／２となって移動することになる。
【０００８】
【発明が解決しようとする課題】
ところで、前記従来のものにあっては、近年、省電力／省スペース化のために、希ガス蛍光ランプ（Ｘｅランプ）を露光ランプ８として使用している。原稿反射率に忠実な読み取りを行わないと、画像劣化現象が発生する。本来白地部Ｗの出力は、図４のａに示したように高いものであるが、ｂに示したような、反射率の低い黒地部Ｂに囲まれた反射率白地部を読み取ると、出力が低めに出る傾向がある。これは、原稿に近い物体や光源管面で反射を繰返し、原稿情報として読み取ってしまうためである。このフレアー成分の影響で読取ポイントの原稿情報が忠実にラインセンサ７に結像しないで、原稿読取時に多大な影響を与えてしまい、特に原稿黒部ベタ間の白色部に地肌汚れが発生してしまう問題があった。また、前記白部と黒部が逆転している場合、線切れが発生するという問題があった。
【０００９】
さらに、ランプの光量の効率向上として、光源と原稿読取ライン間の距離を短くすることにより照度アップし、省電力化を図っているが、原稿固定の走査読取装置において、ランプとコンタクトガラスの間隔が狭くなり、金属の遮光板を入れると、遮光板がコンタクトガラスと接触した場合に、コンタクトガラスに傷を発生するという問題もあった。
【００１０】
そこでこの発明は、前記のような従来のものが有する問題点を解決し、フレアー光の影響を抑え、黒ベタ間の地肌汚れや、線切れや中間調の劣化を抑えることができ、光源をコンタクトガラスに近づけて光量アップすることにより、省電力化を図ることができるとともに、弾性遮光部材（遮光板）をコンタクトガラスと接触させても、コンタクトガラスに傷が発生するのを防止することができる画像読取装置を提供することを目的とする。
【００１１】
【課題を解決するための手段】
前記目的を達成するために、請求項１に記載の発明は、コンタクトガラス上に載置された原稿面を照明するための露光ランプ及び照明用のミラーを有する第１キャリッジと、この第１キャリッジから前記原稿面に照明され反射された光の光路方向を変えるためのミラーを有する第２キャリッジとを備え、前記第１キャリッジ及び前記第２キャリッジを副走査方向に移動させることにより、前記原稿面の画像を、結像レンズを介しラインセンサ上に結像させ原稿画像を読取る画像読取装置において、前記露光ランプとコンタクトガラスの間に弾性遮光部材を、その先端部を前記コンタクトガラスに接触させて第１キャリッジに設け、この弾性遮光部材の主走査方向にスリット状の開口部を形成したことを特徴とする。
【００１２】
請求項２に記載の発明は、請求項１において、前記露光ランプは、副走査方向に１対設けられ、前記弾性遮光部材は、前記各露光ランプの上部を覆うように１対設けられ、これら弾性遮光部材の先端部間の主走査方向にスリット状の開口部が形成されている。請求項３に記載の発明は、請求項１又は２において、前記弾性遮光部材は、少なくとも露光ランプと対向する内面が反射面となっている。請求項４に記載の発明は、請求項１ないし３のいずれかにおいて、前記弾性遮光部材は、材質が樹脂弾性材質となっている。請求項５に記載の発明は、請求項１ないし４のいずれかにおいて、前記弾性遮光部材は、コンタクトガラスと接触する先端部が露光ランプ側に向けて屈曲されている。請求項６に記載の発明は、請求項１ないし５のいずれかにおいて、前記弾性遮光部材は、遮光板である。
【００１３】
【発明の実施の形態】
この発明の一実施の形態を、添付図面を参照して説明する。
【００１４】
図１は、実施の形態における第１キャリッジ部の断面図である。この実施の形態において、第１キャリッジ部以外の構成は、前記図２〜４に示した従来の構成と同様となっている。
【００１５】
図１において、５０は第１キャリッジで、コンタクトガラス５１の下方に設けられている。第１キャリッジ５０にはフレーム５４が備えられ、該フレームには原稿を照明する光源（露光ランプ）としてのキセノンランプ５５と、原稿からの反射光の光路の方向を変えるための第１ミラー５３が設けられている。キセノンランプ５５は、左右に１対設けられ、その内壁面に反射膜５７が施され、主走査方向に反射膜５７のないスリット窓５８を有する構造となっており、このような構造によりスリット窓５８からの放射される光が高くなるようにしている。第１ミラー５３は、フレーム５４に設けられた位置決め面に該ミラーの反射面と反対面より図示しない押圧手段により押圧位置決めされている。
【００１６】
５２は弾性遮光部材としての左右１対の遮光板で、これら遮光板５２は、不透明の樹脂弾性材質（ポリエステルフィルム等）で出来ており、キセノンランプ５５の上部を覆うようにフレーム５４に設けられている。遮光板５２は、主走査方向にスリット状の開口部５９を有するように、その先端部を相接近させて設けられている。遮光板５２の先端部は、コンタクトガラス５１と離れる方向に屈曲されており、該屈曲部がコンタクトガラス５１と接触している。そして遮光板５２はキセノンランプ５５と向かい合う面が反射面となっている。
【００１７】
前記のような構成の第１キャリッジ部においては、遮光板５２が樹脂弾性材質からなり、遮光板５２の主走査方向に開口部５９が形成され、かつその先端部がコンタクトガラス５１と離れる方向に屈曲され、該屈曲部がコンタクトガラス５１と接触するため、原稿からのフレアー光の影響を抑えることができ、従来生じていた黒ベタ間の地肌汚れや、線切れや中間調の劣化を抑えることが可能となる。また、キセノンランプ５５がコンタクトガラス５１に近づいて光量アップすることができるため、省電力化が可能となる。さらに、遮光板５２のキセノンランプ５５と対向する内面が反射面となるので、キセノンランプ５５から放射する光を効率良く原稿面に導くことができ、光量アップが可能となるとともに、省電力化が可能となる。
【００１８】
また、遮光板５２が樹脂弾性材質となっているため、コンタクトガラス５１に接触しても傷を発生させることもないし、キセノンランプ５５がコンタクトガラス面側に近接するため、読取面とランプの距離が短くでき、光量アップが可能となるとともに、省電力化が可能となる。さらに、遮光板５２のコンタクトガラスと当接する先端部がキセノンランプ５５側に向けて屈曲されているため、第１キャリッジの往復移動時、コンタクトガラスと構造体及びスケール等の繋ぎ目での段差部での引っ掛り等、速度変動等による異常画像（画像の部分伸縮）が、発生しない。
【００１９】
前記実施の形態で示した第１キャリッジ４はあくまでも好ましい一例を示したにすぎず、例えば遮光板５２を図示のように１対とはせず、一体の１個ものとしてそれにスリット状の開口部を形成してもよい。その他、細部の構成はこの発明の実施に際しては特許請求の範囲に記載した技術的事項の範囲内で種々の設計的な変更や修正ができる。
【００２０】
【発明の効果】
請求項１に記載の発明では、露光ランプとコンタクトガラスの間に弾性遮光部材を、その先端部をコンタクトガラスに接触させて第１キャリッジに設け、この弾性遮光部材の主走査方向にスリット状の開口部を形成し、また請求項２に記載の発明では、請求項１において、露光ランプは、副走査方向に１対設けられ、弾性遮光部材は、各露光ランプの上部を覆うように１対設けられ、これら弾性遮光部材の先端部間の主走査方向にスリット状の開口部が形成されているので、原稿からのフレアー光の影響を抑え、黒ベタ間の地肌汚れや、線切れや中間調の劣化を抑えることができ、光源をコンタクトガラスに近づけて光量アップすることにより、省電力化を図ることができる。また、弾性遮光部材をコンタクトガラスと接触させても、コンタクトガラスに傷が発生するのを防止することができる。
【００２１】
請求項３に記載の発明では、少なくとも露光ランプと対向する内面が反射面となっているので、光源から放射する光を効率良く、原稿面に導くことができ、光量アップを図ることができるとともに、省電力化が可能となる。
【００２２】
請求項４に記載の発明では、弾性遮光部材の材質が樹脂弾性材質となっているので、コンタクトガラスと接触させても傷を発生させることがないのに加え、金属の弾性遮光部材に比して露光ランプをコンタクトガラス面側に近接させることも可能となるので、原稿読取面と露光ランプの距離が短くでき、光量アップを図ることができるとともに、省電力化が可能となる。
【００２３】
請求項５に記載の発明では、弾性遮光部材のコンタクトガラスと接触する先端部が露光ランプ側に向けて屈曲されているので、第１キャリッジの往復移動時、コンタクトガラスと構造体及びスケール等の繋ぎ目での段差部での引っ掛り等、速度変動等による異常画像（画像の部分伸縮）が、発生しないようにすることができる。
【００２４】
請求項６に記載の発明では、弾性遮光部材が遮光板からなるので、軽量化が図れ、取り付けが便利であるとともに、製作も容易で安価にできる。
【図面の簡単な説明】
【図１】この発明の一実施の形態における画像読取装置の第１キャリッジ部の断面図である。
【図２】従来の画像読取装置を示す概略図である。
【図３】同上のキャリッジの駆動方式の一例を示す概略図である。
【図４】同上の画像劣化現象が発生する現象を示す図面である。
【符号の説明】
５０  第１キャリッジ
５１  コンタクトガラス
５２  遮光板（弾性遮光部材）
５３  第１ミラー
５４  フレーム
５５  キセノンランプ（露光ランプ）
５７  反射膜
５８  スリット窓
５９  スリット状の開口部
【図１】
2004157174.tif 000003
【図２】
2004157174.tif 000004
【図３】
2004157174.tif 000005
【図４】
2004157174.tif 000006